(57)【要約】
【課題】　フェイスを複数枚の金属製板材を溶接することによって製造した優れた打撃効果が得られるゴルフウッドクラブヘッドを提供する。
【解決手段】　ヘッド本体の一側に溶接によってフェイスが設けられるゴルフウッドクラブヘッドであって、フェイスは、少なくとも外層１０と内層２０とを有する多層の金属製板材構造であり、外層は厚さ１.０〜２.０mmの高強度の金属製板材からなり、内層は厚さ０.５〜１.８mmの高強度の網状又は中央に開口を有する空隙部を備えた金属製板材から構成した。
【選択図】　図１
0003099039.tif 000002
【実用新案登録請求の範囲】
【請求項１】
ヘッド本体の一側に溶接によってフェイスが設けられるゴルフウッドクラブヘッドであって、
　前記フェイスは少なくとも外層１０と内層２０を有する多層の金属製板材構造であり、外層は厚さ１.０〜２.０mmの高強度の金属製板材からなり、内層は厚さ０.５〜１.８mmの高強度の網状又は中央に開口を有する空隙部を備えた金属製板材からなることを特徴とするゴルフウッドクラブヘッド。
【請求項２】
外層１０と内層２０との間に中層３０が設けられ、該中層３０は厚さ０.５〜１.２mmの軟質の金属製板材から構成されていることを特徴とする請求項１に記載のゴルフウッドクラブヘッド。
【考案の詳細な説明】
【技術分野】
【０００１】
　本考案は、特に複数枚の金属製板材を積層溶接してフェイスを製造することにより、優れた打撃効果を得ることができるゴルフウッドクラブヘッドに関するものである。
【背景技術】
【０００２】
　従来のゴルフウッドクラブヘッド（以下、ウッドヘッドと称す）は、後部が中空であると共に、シャフトが長いので、ティーショットや飛距離を伸ばしたい時によく使用されている。
【０００３】
　ウッドヘッドの構造は、シャフトと結合するためのベースとなるヘッド部と、フェイスと、底面部と、ヘッド全体を支持するための上面部とを備え、シャフトに対するフェイスの傾きであるロフト角およびシャフトの長さによって、１番ドライバー，driver、２番ブラッシー，brassie、３番スプーン，spoon、４番バフィ，baffy、 および５番クリーク，cleek の５種類に分類されており、近頃では７番及び９番のウッドヘッドも開発され、使用者の好みによってウッドヘッドを選択的に使用できるようになった。
【０００４】
　また、１番ウッドヘッドのシャフトの長さは４５〜４７インチであり、ロフト角は８〜１２度であり、２番以降はウッドヘッドのシャフトの長さが０.５インチずつ短くなると共に、ロフト角が３度ずつ増加する。
【特許文献１】特開２００２−３６０７４９号公報
【考案の開示】
【考案が解決しようとする課題】
【０００５】
　しかしながら、従来のウッドヘッドのフェイスは単に一枚の金属製板材を溶接によってヘッドの上面部及び底面部と結合させることにより製造されるため、打撃効果が制限される。また、スイートスポットの拡大は、ヘッドの堆積を拡大すること、さらには、フェイスの構造を変化してもスイートスポットに影響を与えることができる。このために、その後、二枚の金属製板材によってフェイスを製造する技術が開発されたが、この方法では反発係数値COR値は増加するが、ウッドヘッドの構造強度が不足すると共に、ウッドヘッドの重量が重くなるという欠点がある。
【０００６】
　そこで、案出されたのが本考案であって、複数枚の金属製板材を溶接してフェイスを製造することにより、優れた打撃効果を達成することのできるゴルフウッドクラブヘッドを提供することを目的としている。
【課題を解決するための手段】
【０００７】
　本願の請求項１の考案は、ヘッド本体の一側に溶接によってフェイスが設けられるゴルフウッドクラブヘッドであって、前記フェイスは少なくとも外層１０と内層２０を有する多層の金属製板材構造であり、外層は厚さ１.０〜２.０mmの高強度の金属製板材からなり、内層は厚さ０.５〜１.８mmの高強度の網状又は中央に開口を有する空隙部を備えた金属製板材からなることを特徴とする。
【０００８】
　本願の請求項２の考案は、請求項１に記載のゴルフウッドクラブヘッドにおいて、外層１０と内層２０との間に中層３０が設けられ、該中層３０は厚さ０.５〜１.２mmの軟質の金属製板材からなることを特徴とする。
【考案の効果】
【０００９】
　本考案は上記の構成を有するので、厚さ１.０〜２.０mmの高強度金属製板材からなる外層と、厚さ０.５〜１.８mmの高強度網状または中央に開口を有する空隙部を備えた金属製板材からなる内層によってフェイスが製造され、或いは、外層と内層の間に厚さ０.５〜１.２mmの軟質の金属製板材からなる中層が設けられることにより、優れた打撃効果を達成することができる。
【考案を実施するための最良の形態】
【００１０】
　本考案は、厚さ１.０〜２.０mmの高強度金属製板材からなる外層と、厚さ０.５〜１.８mmの高強度網状又は中央に開口を有する空隙部を備えた金属製板材からなる内層と、或いは外層と内層の間に設けられる厚さ０.５〜１.２mmの軟質の金属製板材からなる中層とによりフェイスを製造することにより、優れた打撃効果を得ることができる。
【００１１】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１２】
　図１は本考案に係るゴルフウッドクラブヘッドの斜視図であり、図２は本考案に係るゴルフウッドクラブヘッドのフェイスの断面図であり、図３は本考案に係るゴルフウッドクラブヘッドの打撃試験数値表であり、図４は本考案に係るゴルフウッドクラブヘッドのCOD値の測定位置を示す斜視図である。
【００１３】
　図１及び図２に示すように、本考案に係るゴルフウッドクラブヘッドは高強度のステンレス、チタン合金又は他の硬質のアイアン材などからなる硬質の金属製材料からなるヘッド本体を有し、ヘッド本体の一側にフェイスが設けられ、このフェイスは外層１０と内層２０を有するもので、中間には高延伸率の中層３０を有する金属製板材からなる。
【００１４】
　外層１０は、高比強度（強度と密度の比値）の金属製板材からなることにより、ゴルフボールの衝撃を受けると共に、より高反発係数値を達成する。内層２０は有限の質量で高比強度の網状又は中央に開口を有する空隙部を備えた金属製板材からなることにより、外層１０を支持すると共に、フェイスの全体強度を向上する。
【００１５】
　又、外層１０と内層２０との間に軟質の金属製板材からなる中層３０が設けられることにより、打撃感および操作性、或いはゴルフボールのスピン及び飛行角度を向上することを達成する。
【００１６】
　本考案に係るゴルフウッドクラブヘッドの進歩性及び実用性を証明するために、従来の製造過程によって１番のウッドヘッドを製造した。その体積は３６０ccであり、フェイスの角度は９．５度であり、フェイスは外層の２０４１チタン合金と内層の中央に開口を有する２０４１チタン合金（図３の番号１〜３に示す）。
　外層の２０４１チタン合金と内層の網状の２０４１チタン合金（図３の番号４〜６に示す）。
　外層の２０４１チタン合金と内層の２０４１チタン合金と中層の３０４ステンレス（図３の番号７〜９に示す）。
【００１７】
　外層の２０４１チタン合金と内層の網状の２０４１チタン合金と中層の３０４ステンレス（図３の番号１０〜１２に示す）。からなり、同時に、単層の２０４１チタン合金（図３の番号１３に示す）及び二層の２０４１チタン合金（図３の番号１４に示す）からなる従来のフェイスを対照組として比較し、又、フェイスの中心に１０００ニュートン力によって打撃することにより試験を行う。
【００１８】
　図４に示すように、打撃箇所をA、B、Cの三つの点で行い、A点はフェイスの中心点であり、Ｂ点とＡ点の距離は５.５mmであり、Ｃ点とＡ点の距離は１１.２５mmである。
【００１９】
　図３および図４に示すように、番号１３の従来のフェイスでは、中心のＡ点に一番高いＣＯＤ値の０.８６５を有するが、外側のＣ点に一番低いＣＯＤ値の０.７４８を有し、これをＣＯＤ梯度〔Ａ点のＣＯＤ値―Ｃ点のＣＯＤ値〕／ＡＣの距離に表わせば、その値は１０.４×１０-3mm-1である。
【００２０】
　従来の二層のフェイスによれば、そのＣＯＤ梯度は９．０７×１０-3mm-1であり、従来の単層のフェイスに比べると、ＣＯＤ梯度は１２.８％低下し、これは多層の構造がフェイスのＣＯＤ値分布の均一に役に立つことを判断できるが、番号１４のフェイスは重すぎる恐れがある。
【００２１】
　一方、図３の番号１〜１４に示すように、本考案に係るゴルフウッドクラブヘッドによれば、ＣＯＤ値を略降下するが、ＣＯＤ梯度は良くなると共に、４.７１〜６.３１×１０-3mm-1まで降下する。従来の単層のフェイスに比べると、ＣＯＤ梯度は３９.３〜５４.７％降下することを判断できる。
【００２２】
　番号６のフェイスを例として説明すると、このCOD梯度は４．９８×１０-3mm-1であり、従来のフェイスより５２．１％低下する。
　従って、内層は中央に開口又は網状の空隙部を備えた構造にすると、フェイスのCOD梯度が良くなると共に、ウッドヘッドの重量を重過ぎる問題を防止できる。
【００２３】
　更に、ゴルフボールの飛行アナリシスによる番号１３の単層のフェイスは一番遠い飛行距離の２５９．４ヤードを有するが、そのスピン及び飛行角度はより低く、夫々３４２０rpm及び９．３１度である。
【００２４】
　従来の二層のフェイスによると、ボールの飛行距離は２５７.１ヤードまで少々降下し、スピン及び飛行角度は少々増加し、夫々３５４０rpm及び９.６６度であり、これによると、多層構造のフェイスはボールの飛行角度とスピン量の増加に役に立つことを判断できる。
【００２５】
　図３の番号１〜１４に示すように、本考案に係るゴルフウッドクラブヘッドによれば、ボールの飛行距離は２４５．１〜２５４．１ヤードまで少々降下し、降下率は約２．０１〜３．７７％であるが、ボールの飛行角度は９.３１から９.６４〜１０.５１度まで向上し、向上率は約３.５４〜１２.８９％であり、これによると、本考案に係るゴルフウッドクラブヘッドの操作性が向上することを確認できる。
【００２６】
　又、図３の番号１〜６に示すように、ゴルフボールのスピン量は３４２０rpmから３７４５〜３７８３rpmまで向上し、向上率は約９.５０〜１０.６１％であり、中層が設けられると、スピン量は３４２０rpmから３９０７〜３９３４rpmまで向上し、向上率は１４.２４〜１５.０３％であり、これによると、中層が設けられることによってボールの飛行安定性に役に立つことが判断できる。
【図面の簡単な説明】
【００２７】
【図１】本考案に係るゴルフウッドクラブヘッドの斜視図である。
【図２】本考案に係るゴルフウッドクラブヘッドのフェイスの断面図である。
【図３】本考案に係るゴルフウッドクラブヘッドの打撃試験数値表である。
【図４】本考案に係るゴルフウッドクラブヘッドのCOD値の測定位置を示す斜視図である。
【符号の説明】
【００２８】
　１０　　　　外層
　２０　　　　内層
　３０　　　　中層
【図１】
0003099039.tif 000003
【図２】
0003099039.tif 000004
【図３】
0003099039.tif 000005
【図４】
0003099039.tif 000006